(57)【特許請求の範囲】
【請求項１】
複数枚のディスクに対しての情報の連続再生が可能なディスクプレーヤにおいて、
前記ディスクから再生された情報を情報片単位で記憶する情報記憶手段と、
前記情報記憶手段から前記情報片を読み出す以前に、前記情報片にディスク識別フラグを付加するディスク識別フラグ付加手段と、
前記ディスク識別フラグが付加された情報片のディスク識別フラグを判別するディスク識別フラグ判別手段と、
表示部に表示すべき表示データを出力する表示データ出力部と、を有し、
表示データ出力部は、前記ディスク識別フラグの判別結果に基づいて前記表示データの切り替えを行うことを特徴とするディスクプレーヤ。
【請求項２】
前記情報記憶手段は、複数個のＴＯＣ情報を保持できる領域を有しするとともに、前記複数枚のディスクの各々のＴＯＣ情報が記憶され、
一のディスクから他のディスクへとディスクチェンジを行った際の前記ディスク識別フラグ判別手段の判別結果に基づいて、選択すべきＴＯＣ情報への切り替えが行われ、
選択された前記ＴＯＣ情報に基づいて表示データが計算されて表示部へ出力されることを特徴とする請求項１に記載のディスクプレーヤ。
【請求項３】
複数枚のディスクに対しての情報の連続再生が可能な情報再生方法であって、
前記ディスクから再生された情報を情報片単位で記憶し、
情報記憶手段から前記情報片を読み出す以前に、前記情報片にディスク識別フラグを付加し、
情報記憶手段から前記情報片を読み出す際に前記ディスク識別フラグが付加された情報片のディスク識別フラグを判別し、
前記ディスク識別フラグの判別結果に基づいて、表示部に表示すべき表示データの出力を切り替えることを特徴とする情報再生方法。
【発明の詳細な説明】
【０００１】
【発明の属する技術分野】
本発明は、例えば複数枚のＭＤ（ミニディスク）に対して、通常再生及びリレー再生を行わせる際、メモリから出力されるデータがどのディスクのものであるかを判別するための装置に関する。
【０００２】
【従来の技術】
近年、ＣＤ（コンパクトディスク）より小型（直径６４ｍｍ）であるにも拘らず、例えば、ＡＴＲＡＣ（Ａｄａｐｔｉｖｅ  Ｔｒａｎｓｆｏｒｍ  Ａｃｏｕｓｔｉｃ  Ｃｏｒｄｉｎｇ）と呼ばれる情報圧縮技術を用いることによってＣＤとほぼ同じ情報量を記録再生し得るＭＤ（ミニディスク）が普及しつつある。このＭＤは、ショックプルーフメモリ（ＤＲＡＭ）の使用により、再生時に振動等による音飛びが防止されるようになっている。
【０００３】
例えば、ディスク上に記録された圧縮音声データは光学式ピックアップにより１．４Ｍｂｉｔ／ｓのデータ転送レートで読み取られると共にＤＲＡＭ（Ｄｙｎａｍｉｃ  Ｒａｎｄｏｍ  Ａｃｃｅｓｓ  Ｍｅｍｏｒｙ）に書き込まれる。その後、０．３Ｍｂｉｔ／ｓのデータ転送レートでＤＲＡＭから読み出されてデコーダにより圧縮が解かれ、伸長されて出力されるようになっている。この場合、ＤＲＡＭを１Ｍｂｉｔとすると、約０．９秒で読み取られた圧縮音声データは約３秒間かけてＤＲＡＭより読み出されながらデコード処理されるので、仮に、その時に外部より大きな振動が加わり、ディスク上のディジタル情報が読み取れなくなったとしても、約３秒間はＤＲＡＭからの圧縮音声データの読み出しが可能となるので、光学式ピックアップが約３秒以内にディスク上の元の位置をアクセスして再び圧縮音声データの読み取りを開始することができれば、音飛びの発生が防止されるのである。さらに、例えば、ＤＲＡＭに４Ｍｂｉｔのものを用いた場報合には、ＤＲＡＭ内には約１２秒間分の情が記憶されていることになる。
【０００４】
上述したＤＲＡＭの使用により、ディスクから読み出されるデータが実際に音として使用者に届くまでには、若干の時間差があることになる。
【０００５】
図７にＭＤプレーヤの具体的なブロック構成図を示す。
【０００６】
図７において、圧縮音声データが記録されるＭＤ２０の光磁気ディスク２１は、カートリッジ２２内部に回転自在に収容されている。カートリッジ２２には、シャッター２３が設けられており、ＭＤ２０がＭＤプレーヤ１００の記録再生位置に載置されたとき、図示しないシャッター開閉機構によってシャッター２３が開放され、光磁気ディスク２１の記録面に対する光学式ピックアップ４からの光ビームの照射を可能にすると共に記録時においては磁気ヘッドによって与えられる記録信号によって変調を受けた磁場の印加を可能にする。再生時において、光磁気ディスク２１がスピンドルモータ１により所定の回転速度で回転駆動された状態で、対物レンズ３により絞られたビームが光磁気ディスク２１の記録面に照射されると、記録信号の磁化方向に応じて回転する偏向面を有する反射ビームがＲＦ信号として光学式ピックアップ４によって読み取られ、ＲＦアンプ７へ出力される。ＲＦアンプ７で所定の振幅レベルまで増幅されたＲＦ信号は、アドレスデコーダ６によってウォブリング（トッラッキング用溝のわずかな蛇行）周波数が検出され、情報未記録時においても光磁気ディスク２１における時間的位置が検出される。
【０００７】
一方、データ記録時においては、Ａ／Ｄコンバータ１５によりディジタル信号に変換されたデータはデータ圧縮エンコーダ・デコーダ１３により、約１／５程度に圧縮された後、ＥＦＭエンコーダ・デコーダ９によってＥＦＭ信号にエンコードされ、ヘッド駆動回路５及びシステムコントローラ１０に送出される。
【０００８】
ヘッド駆動回路５では、入力されたＥＦＭ信号によって磁気ヘッド２を駆動して光磁気ディスク２１の磁性膜上に磁界変調を与える。光学式ピックアップ４からは、光磁気ディスク２１の記録位置にビームが照射されており、このビームによってキュリー温度以上に熱せられるので、磁気ヘッド２によって与えられる磁界の方向に磁化され、この磁化の方向が記録情報となる。
【０００９】
また、光学ピックアップ４はシステムコントローラ１０からの指令に基づいて、サーボコントローラ８を介してフォーカス，トラッキング等のサーボ制御を受けると共にキャリッジ１４を介して光磁気ディスク２１の半径方向の任意な位置へ移動し得るように制御されている。
【００１０】
システムコントローラ１０は、キー１８によって動作モード等の指示が行われると、その指示に基づいて各構成部位の動作を制御するとともに、表示部１７に対して動作モード等を表示させる。
【００１１】
次に、ＭＤ上に形成される記録データのデータ構造について説明する。
【００１２】
図８は、ＭＤのデータフォーマットを示したものであり、１クラスタは３６セクタ（１セクタは５８８×４バイト＝２３５２バイト）で楕成されている。このうち、３２セクタ分に圧縮された音声データを記録する。残りの４セクタはリンクセクタ（捨てセクタ）及びサブデータの記録として使われる。
また、２セクタを１１個に分割したものはサウンドグループと呼ばれており、１サウンドグループは圧縮を解くと左右チャンネルの５１２サンプル（１１．６１ｍｓ）分の情報に相当する。
また、１セクタ（２３５２バイト）の内訳は、図９に示したようにヘッダ（８バイト），オーディオブロック（２３３２バイト），シンク（１２バイト）である。ヘッダ部分にはクラスタ／セクタ情報が、オーディオブロック部分には音声情報（圧縮音声データ）が、シンク部分には同期情報が格納されている。このようなデータフォーマットにおいて、ＭＤプレーヤはディスクよりデータを１セクタ単位で読みとってＤＲＡＭ１２に書き込む。
【００１３】
図１０はＤＲＡＭ１２内の割り当ての一実施形態を示したものであり、この中にメインデータ，Ｃ２ＰＯフラグ，及びＴＯＣデータを切り分けて各エリアごとに格納する。メインデータエリアには圧縮音声データが、Ｃ２ＰＯフラグエリアにはデータの訂正情報が、ＴＯＣエリアにはＴＯＣデータが格納される。
【００１４】
今、ＤＲＡＭ１２内のメインデータエリアに例えば４４セクタ分のセクタ（情報片）が格納できる領域を設けた場合、図１１に示すようなリングバッファ（４４進カウンタ）を用いてＤＲＡＭ１２へのメインデータ（圧縮音声データ）の書き込み及び読み出しについて説明できる。まず、書き込みが始まると１セクタ分のデータをＤＲＡＭ１２に順次格納していくが、例えば図１１の００〜０１の領域に１セクタ分が格納され、順次１セクタづつ０１〜０２、０２〜０３の領域に格納されていき、４３〜００の領域まで格納された場合にはＤＲＡＭ１２内部への書き込みは停止される。また、読み出しが始まると、図１１の００〜０１の領域に格納されているセクタより読み出されていき、順次０１〜０２、０２〜０３の領域に格納されているセクタが読み出されていく。００〜０１の領域が空きエリアになると、再び書き込みが始まる。図１１の状態は、次の書き込み位置（ＷＲ＿ＳＣＴの示す場所（Ｗｒｉｔｅ  Ｓｅｃｔｏｒ：再生時のＤＲＡＭ１２への書き込みセクターナンバーポインタ））が４２〜４３の場所であり、次の読出し位置（ＲＤ＿ＳＣＴの示す場所（Ｒｅａｄ  Ｓｅｃｔｏｒ：再生時のＤＲＡＭからの読み出しセクターナンバーポインタ））が０１〜０２の場所であることを示している。
【００１５】
また、ＴＯＣデータもＤＲＡＭ１２内に格納される。このＴＯＣデータは、光磁気ディスク２１の記録領域の始めの部分に記録されており、“本の目次”に相当する情報を含んでいる。また、曲番号、時間情報などの表示データもＴＯＣデータにより一括管理されている。
【００１６】
続いてこのような構成のＭＤプレーヤの連続再生時（例えば、２枚のＭＤを連続的に再生する）の動作を図１２のフローを用いて説明する。
【００１７】
まず、ＭＤプレーヤ１００に収納されているＭＤ２０のＴＯＣの読み込みが行われる（ステップ１２０１）。次にＭＤ２０の情報の再生が行われた後（ステップ１２０２）、情報の再生を終えると、次のＭＤ２０にディスクチェンジし（ステップ１２０３）、次のＭＤ２０のＴＯＣの読み込みを行い（ステップ１２０１）、引き続き情報の再生が行われる。（ステップ１２０２〜１２０３）。ステップ１２０３において、ディスクチェンジを行わない場合には、所定の終了処理により再生が停止される（ステップ１２０４）。
このようにして、順次ＭＤが交換され、連続再生が行われるが、ＤＲＡＭ１２の情報の最大蓄積時間内（例えばＤＲＡＭに４Ｍｂｉｔのものを用いた場合は約１２秒以内）にＭＤ２０の交換を行えば、複数枚のＭＤ２０に対して途切れることなく情報を連続再生することも可能である。
【００１８】
【発明が解決しようとする課題】
ところで、従来のＭＤプレーヤにあっては１枚目のＭＤから２枚目のＭＤへの連続再生を行った場合、ＤＲＡＭ内に１枚目のＭＤの情報と２枚目のＭＤの情報とが混在されて格納されている場合がある。この場合、ＤＲＡＭから読み出される情報が１枚目のＭＤの情報か２枚目のＭＤの情報かの区別が出来ないため、読み出されたデータがどのディスクのものであるかの区別ができないため、例えば、ディスクチェンジが行われたかどうかを使用者に伝えることができないという問題点があった。これは、ディスクチェンジャー部でディスクチェンジを検出したタイミングで表示させることも出来るが、この場合は前述したようにディスクから読み出されるデータが実際に音として使用者に届くまでには、若干の時間差があるため、この場合においても適切な表示を使用者に伝えることができない。
【００１９】
また、仮にＤＲＡＭより読み出される情報からディスク識別が可能となったとしても、ＤＲＡＭ内に複数個のＴＯＣデータが格納されていないと、ＤＲＡＭから読み出された情報に対応するＴＯＣデータにアクセスさせることができないため、表示データに不具合を生じてしまうという問題点が生じてくる。
【００２０】
そして本発明は、このような事情に対処すべくしてなされたものである。
【００２１】
【課題を解決するための手段】
本発明の請求項１に記載のディスクプレーヤは、複数枚のディスクに対しての情報の連続再生が可能なディスクプレーヤにおいて、前記ディスクから再生された情報を情報片単位で記憶する情報記憶手段と、前記情報記憶手段から前記情報片を読み出す以前に、前記情報片にディスク識別フラグを付加するディスク識別フラグ付加手段と、前記ディスク識別フラグが付加された情報片のディスク識別フラグを判別するディスク識別フラグ判別手段と、表示部に表示すべき表示データを出力する表示データ出力部と、を有し、表示データ出力部は、前記ディスク識別フラグの判別結果に基づいて前記表示データの切り替えを行うことを特徴とする。
【００２２】
また本発明の請求項２に記載のディスクプレーヤは、請求項１に記載のディスクプレーヤにおいて、前記情報記憶手段は、複数個のＴＯＣ情報を保持できる領域を有しするとともに、前記複数枚のディスクの各々のＴＯＣ情報が記憶され、一のディスクから他のディスクへとディスクチェンジを行った際の前記ディスク識別フラグ判別手段の判別結果に基づいて、選択すべきＴＯＣ情報への切り替えが行われ、選択された前記ＴＯＣ情報に基づいて表示データが計算されて表示部へ出力されることを特徴とする。
【００２３】
また本発明の請求項３に記載の情報再生方法は、複数枚のディスクに対しての情報の連続再生が可能な情報再生方法であって、前記ディスクから再生された情報を情報片単位で記憶し、情報記憶手段から前記情報片を読み出す以前に、前記情報片にディスク識別フラグを付加し、情報記憶手段から前記情報片を読み出す際に前記ディスク識別フラグが付加された情報片のディスク識別フラグを判別し、前記ディスク識別フラグの判別結果に基づいて、表示部に表示すべき表示データの出力を切り替えることを特徴とする。
【００２５】
【発明の実施形態】
以下、本発明の実施形態を図面に基づいて説明する。
図１は、本発明の一実施形態を示すものであり、従来の項で説明したものと同一の構成要素には同一の符号を付して示して、再度の説明は省略する。
従来と異なる構成要素は、ディスク識別フラグ付加部２５とディスク識別フラグ判定部２６が介挿されていることの２点である。
【００２６】
ディスク識別フラグ付加部２５は、ディスクから読みだされた圧縮データをＤＲＡＭに記憶する際に、セクタ情報毎に識別フラグを付加するものである。
また，ディスク識別フラグ判定部２６は、識別フラグが付加されたセクタ情報がどのディスクのものであるかを判別するものである。
【００２７】
以下において、本実施形態の動作について説明するが、説明の便宜上ＭＤプレーヤは２枚収納可能なプレーヤとする。また、１枚目のディスクをディスクＤ１、２枚目のディスクをディスクＤ２として、ＤＲＡＭ内のＴＯＣデータエリアをＴＯＣデータエリアＴ１，ＴＯＣデータエリアＴ２とする。
【００２８】
図１に示すように、例えば、ＭＤプレーヤ（チェンジャー式）２４内にディスクＤ１及びディスクＤ２のＭＤを収納すると、まず光学式ピックアップ４によってディスクＤ１及びディスクＤ２のそれぞれのＴＯＣデータが読み取られＤＲＡＭ１２内のＴＯＣデータエリアＴ１及びＴ２に格納される。その後、再生指令がなされるとディスクＤ１またはディスクＤ２の圧縮音声データが読み取られ、ＤＲＡＭ１２内のメインデータエリアに格納される。その際、システムコントローラ１０は、ディスク識別フラグ付加部２５へ再生指令の信号を送る。ディスク識別フラグ付加部２５では、ディスク識別フラグをＤＲＡＭ１２内の圧縮音声データのセクタ上に付加していく。
【００２９】
ＤＲＡＭ１２より出力される圧縮音声データはコントローラ１１を介してデコーダ１３に送られ順次デコード（伸長）され、Ｄ／Ａコンバータ１６によりアナログ信号に変換されて出力される。一方、ＤＲＡＭ１２より出力される圧縮音声データはディスク識別フラグ判別部２６にも送られ、判別結果をシステムコントローラ１０に送る。システムコントローラ１０では、判別結果により正しいＴＯＣデータを選択し、選択したＴＯＣデータを参照して表示データを計算し、表示部１７へ出力する。
【００３０】
このような実施形態の詳細を以下において説明する。
図２は、上述したセクタデータ（図９）のヘッダ部分の構造を示したものである。ＭＤフォーマットでは、セクタデータのヘッダ部分にクラスタ用に１６ビット分の領域が割り当てられている。
【００３１】
ここで、ディスクの最大記録時間は、７４分程度であるのでクラスタの最大値は約２１７７個となる。これを、１６進数で表現すると８８１（１６）となり、データ長としては１２ビットもあれば十分である。すなわち、ヘッダのクラスタ部分には４ビットの空き領域が存在しているので、例えば、この空きビットの最上位ビットをディスク識別フラグとして使用する。
【００３２】
図３は、ディスク識別フラグの一実施形態を示したものであり、空きビットの最上位ビットにディスク識別フラグとして、例えば、ディスクＤ１のデータの時には“０”を、ディスクＤ２のデータの時には“１”を付加している。このディスク識別フラグは、ディスクから読み出された１セクタ分の圧縮音声データをＤＲＡＭコントローラ１１がＤＲＡＭ１２に格納したタイミングをシステムコントローラ１０で検出した時にヘッダの部分に付加する。
【００３３】
続いて、このような構成のＭＤプレーヤ（チェンジャー式）２４のＤＲＡＭ１２へのデータ書き込み時の動作及びＤＲＡＭ１２からのデータ読み出し時の動作を図１０のリングバッファ、図１の構成図及び図４乃至図５のフローチャートを用いて説明する。なお、本実施例では、ディスクＤ１より再生を開始し、続けてディスクＤ２を連続再生した後、再生を終了するものとする。
【００３４】
図４はＤＲＡＭ１２へデータを書き込む際のフローチャートである。
まず、図１１に示したようにＷＲ＿ＳＣＴを書き込み位置とするリングバッフア（４４進カウンタ）を用意する。
【００３５】
まず、ＷＲ＿ＳＣＴを００の位置にセットする（ステップ４０１）。
再生開始指令に従い、例えば、ディスクＤ１から読み取った圧縮音声データをＤＲＡＭ１２へ書き込む。（ステップ４０２）。これにより、ＷＲ＿ＳＣＴの示す位置００〜０１の領域（図１１）に圧縮音声データの１セクタ分が格納される。その後、１セクタ分のデータがＤＲＡＭに書き込まれたかどうかをメモリコントローラ１１が確認し、書き込みが完了するまで監視する。１セクタ分の書き込みが完了したところで、メモリコントローラ１１から１セクタ分書いたことを示す信号が、システムコントローラ１０へ出力される（ステップ４０３）。その後、ディスク識別フラグ“０”を、ＤＲＡＭ１２内のＷＲ＿ＳＣＴの示す位置、すなわち、ここでは００〜０１に格納されているセクタのヘッダ部分にディスク識別フラグ“０”を付加する（ステップ４０４）。ここまでの過程で、１セクタ分のＤＲＡＭ１２への書き込みが終了したので、ＷＲ＿ＳＣＴを＋１インクリメント（ステップ４０５）して、次の領域０１〜０２にＷＲ＿ＳＣＴを指示させる。そしてディスクＤ１の再生が終了していなければ、ステップ４０２へ移動して同じ動作を繰り返す。ディスクＤ１の情報が全てＤＲＡＭ１２内に格納されるまで上記動作が繰り返される。ディスクＤ１の情報の読み取りが終了すると、ディスクチェンジ動作の確認をシステムコントローラ１０が行う（ステップ４０７）。ディスクチェンジされなければ、ステップ１０１４に移行してＤＲＡＭへのデータ書き込みを停止する。
【００３６】
本実施形態においては、ディスクＤ１からディスクＤ２への連続再生を行っているので、ステップ４０８へ移行する。ステップ４０８では、ディスクＤ１と同様にディスクＤ２の情報が１セクタづつＤＲＡＭ１２内に格納されていく（ステップ４０８）。その後、１セクタ分のデータがＤＲＡＭに書き込まれたかどうかをメモリコントローラ１１が確認し、書き込みが完了するまで監視する。１セクタ分の書き込みが完了したところで、メモリコントローラ１１から１セクタ分書いたことを示す信号が、システムコントローラ１０へ出力される（ステップ４０９）。その後、ディスク識別フラグ“１”を、ＤＲＡＭ１２内のＷＲ＿ＳＣＴの示す位置に付加する（ステップ４１０）。ここまでの過程で、１セクタ分のＤＲＡＭ１２への書き込みが終了したので、ＷＲ＿ＳＣＴを＋１インクリメント（ステップ４１１）する。そして、ディスクＤ２の再生が終了していなければ、ステップ４０８へ移動して同じ動作を繰り返す。ディスクＤ２の情報が全てＤＲＡＭ１２内に格納されるまで上記動作が繰り返される。ディスクＤ２の情報が終わると、ディスクチェンジ動作の確認をシステムコントローラ１０が行う（ステップ４１３）。ディスクチェンジが行われると、ステップ４１３からステップ４０２へと移動し、再びディスクＤ１の再生が始まる。本実施形態においては、ディスクＤ２の再生が終了した後、再生を終了するので、ステップ４１４に移動してデータ書き込みを停止する。
【００３７】
次に、ＤＲＡＭ１２からのデータ読み出しについて説明する。
図５は、ＤＲＡＭ１２からのデータ読み出しの際のフローチャートである。
まず、ＤＲＡＭ１２に書き込んだセクタデータをデコーダ１３へ転送するが、書き込み時と同様に図１１に示したＲＤ＿ＳＣＴなるリングバッファ（４４進カウンタ）を用いて説明する。
【００３８】
まず、ＤＲＡＭ１２からの読み出し開始時に、ＤＲＡＭ１２内に２セクタ以上の圧縮音声データが格納されているかどうかを確認する（ステップ５０１）。格納されていないときはステップ５０１を繰り返す。格納されていれば、ＲＤ＿ＳＣＴを００（Ｈ）にセットする（ステップ５０２）。そして、１セクタ分の圧縮音声データをデコーダ１３へ転送する（ステップ５０３）。ここまでの工程で、１セクタ分のＤＲＡＭ１２からの読み出しが終了（ステップ５０４）したので、ＲＤ＿ＳＣＴを＋１インクリメント（ステップ５０５）して、再びステップ５０３へ移行して同じ動作を繰り返す。ステッブ５０６において、ＤＲＡＭ内のデータが全て読み出された場合及び再生終了指令がなされた場合には、ＤＲＡＭからのデータ読み出しを停止する（ステップ５０６〜ステップ５０７）。
【００３９】
続いて、表示データ生成について図１の構成図及び図６のフローチャートを用いて説明する。ＤＲＡＭ１２より出力される１セクタ分の圧縮音声データはディスク識別フラグ判定部２６に送られ、ヘッダ部分に付加されているディスク識別フラグを判別し、判別結果をシステムコントローラ１０に送る（ステップ６０１〜ステップ６０２）。ここで、例えばディスク識別フラグ”０“が付加されている場合は、システムコントローラ１０がディスクＤ１の情報であることを確認し、ディスクＤ１のＴＯＣデータを選択する（ステップ６０３〜ステップ６０４）。本実施例ではディスクＤ１のＴＯＣデータはＴＯＣデータエリアＴ１に格納されているため、ＴＯＣデータエリアＴ１を選択する。選択されたＴＯＣデータを参照して、システムコントローラ１０は表示データを計算し曲番号，時間データ等の表示データを生成し表示部１７へ送る。（ステップ６０５〜ステップ６０６）。また、ディスクチェンジ時には、ＤＲＡＭ１２内にはディスクＤ１とディスクＤ２のデータが蓄積されているので、ディスクＤ１のデータがＤＲＡＭ１２よりデコードされている間は上記と同様な処理が行われるが、ＤＲＡＭ１２よりデコードされるデータがディスクＤ２のデータに変わったとき、ディスク識別フラグ判別部２６（ステップ６０２）によってディスク識別フラグ“１”が検出され、システムコントローラ１０によって、ディスクＤ２のＴＯＣデータが選択される（ステップ６０３〜ステップ６０４）。本実施形態ではディスクＤ２のＴＯＣデータはＴＯＣデータエリアＴ２に格納されているため、ＴＯＣデータエリアＴ２を選択する。選択したＴＯＣデータを参照して表示データを計算し、曲番号，時間データ等の表示データを生成する（ステップ６０５〜ステップ６０６）。
【００４０】
このように、本実施形態では、複数のＭＤに対しての情報の連続再生を行う場合、少なくとも２枚以上のＭＤ２０のＴＯＣを読み込んだ後、順次リレー再生を行わせるが、圧縮音声データをＤＲＡＭに格納する際、各々のＭＤ２０に対してのディスク識別フラグを付加するようにした。
【００４１】
したがって、ＤＲＡＭ１２よりデコードされる音声圧縮データが、どのディスクのものであるかのディスク識別が可能となり、この識別結果によって正しいＴＯＣデータをアクセスするので曲番号・時間データ等の表示データに不具合が生じるという問題が解消される。
【００４２】
なお、本実施形態では、ＭＤプレーヤにディスクを２枚収納した場合について説明したが、この例に限らず、２枚以上のディスクを収納したプレーヤであっても良い。
【００４３】
また、ディスク識別フラグを付加するための専用のＤＲＡＭを備えている場合には、そのＤＲＡＭにディスク識別フラグ付加部を備えても良い。
【００４４】
また、ＴＯＣデータを格納する場所はメインデータと同じＤＲＡＭを用いる必要はなく、ＴＯＣデータ専用のメモリを設けても良い。
【００４５】
また、ＤＲＡＭ内ＴＯＣデータエリアは２枚以上のディスクのＴＯＣが格納できるようにしても良い。
【００４６】
この際、複数個のＴＯＣデータをＤＲＡＭに書き込む場合には、ＴＯＣデータの数と同数のディスク識別フラグを用意する必要がある。例えば、４枚のディスクのＴＯＣデータを全てＤＲＡＭ内に格納する場合は、ディスク識別フラグは２ビットを用いて“００”、“０１”、“１０”、“１１”等を用意すれば良い。また、本実施形態では、ディスク識別フラグをヘッダ部分の最上位ビットに付加しているが、ヘッダの未使用領域ならばどこでも良い。
【００４７】
又、本実施形態においては、ディスク識別フラグを付加するのは、セクタデータがＤＲＡＭに書き込まれた後としているが、ディスク識別フラグが付加されたセクタデータがＤＲＡＭから読み出される以前であればどこで付加を行っても良い。
【００４８】
【発明の効果】
以上説明したように、本発明のディスクプレーヤによれば、情報再生時に少なくとも２枚以上のディスクのＴＯＣを読み込んだ後、順次再生を行わせるようにした。また、複数のディスクの各々に対して、圧縮音声データをＤＲＡＭに格納する際に、ディスク識別フラグを付加するようにした。したがって、複数のディスクの情報がメモリ内に蓄積されていてもディスク識別フラグが付加されているため、デコード時にディスク識別フラグを参照することにより、ディスク識別が可能となり、この識別結果によって正しいＴＯＣデータをアクセスして曲番号，時間データ等を生成できるため、ディスクチェンジ時の表示データに不具合が生じるということがなくなり、複数枚のディスクに対しての連続再生が確実に行われる。
【図面の簡単な説明】
【図１】本発明のＭＤプレーヤの一実施形態を示すものである。
【図２】本発明のＭＤ（ミニディスク）のセクタデータのヘッダ部分の構造を示す図である。
【図３】図１のＭＤのヘッダ部分のディスク識別フラグの構造を示す図である。
【図４】図１のＭＤのデータをＤＲＡＭに書き込む際の動作を説明するフロチャートである。
【図５】図１のＭＤのデータをＤＲＡＭから読み出す際の動作を説明するフロチャートである。
【図６】図１のＭＤプレーヤの表示データ生成時のフローを示すものである。
【図７】従来のＭＤ（ミニディスク）ディスクプレーヤの一実施形態を示すものである。
【図８】図７のＭＤのデータ構造を示す図である。
【図９】図７のＭＤのセクタデータの構造を示す図である。
【図１０】図７のＭＤプレーヤのＤＲＡＭ内の構造を示す図である。
【図１１】図７のＭＤのデータをＤＲＡＭに書き込む際及び読み出す際の動作について説明する際に用いるリングバッファ（４４進カウンタ）。
【図１２】図７のＭＤプレーヤの再生動作を説明するためのフロチャートである。
【符号の説明】
１・・・・  スピンドルモータ
４・・・・  光学式ピックアップ
５・・・・  ヘッド駆動回路
６・・・・  アドレスデコーダ
７・・・・  ＲＦアンプ
８・・・・  サーボコントローラ
９・・・・  ＥＦＭエンコーダ・デコーダ
１０・・・  システムコントローラ
１１・・・  ＤＲＡＭコントローラ
１２・・・  ＤＲＡＭ
１３・・・  データ圧縮エンコーダ・デコーダ
１４・・・  キャリッジ
１５・・・  Ａ／Ｄ  コンバータ
１６・・・  Ｄ／Ａ  コンバータ
２４・・・  ＭＤ  チェンジャー部
２５・・・  ディスク識別フラグ付加部
２６・・・  ディスク識別フラグ判別部
１００・・  ＭＤプレーヤ
【図１】
0003547253.tif 000002
【図２】
0003547253.tif 000003
【図３】
0003547253.tif 000004
【図１１】
0003547253.tif 000005
【図４】
0003547253.tif 000006
【図５】
0003547253.tif 000007
【図６】
0003547253.tif 000008
【図７】
0003547253.tif 000009
【図８】
0003547253.tif 000010
【図９】
0003547253.tif 000011
【図１０】
0003547253.tif 000012
【図１２】
0003547253.tif 000013